(57)【要約】      （修正有）【課題】無線子機が縁組可能である中継機や無線親機を予め限定することにより、縁組が可能でない端末との縁組作業を行うことを未然に防止して、スムーズな縁組作業を行うことを可能にする無線テレメータシステム及びそれにおける縁組端末選択方法を提供する。【解決手段】無線親機メイン１０４や中継機１〜３と未縁組の無線子機サブ４にシステム最上流の無線親機の識別符号を予め登録し、未縁組の無線子機からの識別符号を含む電文に対する無線親機や中継機からの返信電文に基づいて、未縁組の無線子機と縁組可能な無線親機や中継機の全てが収集される。無線親機の識別符号は、無線子機自身において、または外部設定器等によって予め登録可能であり、無線子機に備えられたボタン等の入力装置を操作することで、無線子機から縁組可能な無線親機や中継機を収集することができる。【選択図】図３Ａ
2009098746.tif 000002
【特許請求の範囲】
【請求項１】
センタＮＣＵに電話網を介して直列に接続された端末ＮＣＵ及び無線親機と、前記無線親機と無線通信を行う複数の無線子機と、前記無線親機と前記無線子機との間の通信区間内に配置される無線中継機と、前記サブに各有線接続されたマイコンメータとを備える無線テレメータシステムにおいて、
前記無線親機や前記中継機と未縁組の無線子機にシステム最上流の前記無線親機の識別符号を予め登録し、前記未縁組の無線子機からの前記識別符号を含む電文に対する前記無線親機や前記中継機からの返信電文に基づいて、前記未縁組の無線子機と縁組可能な前記無線親機や前記中継機全てを収集することから成る無線テレメータシステム。
【請求項２】
前記未縁組の無線子機への前記無線親機の識別符号を予め登録する外部設定器を備えていることから成る請求項１記載の無線テレメータシステム。
【請求項３】
センタＮＣＵに電話網を介して直列に接続された端末ＮＣＵ及び無線親機と、前記無線親機と無線通信を行う複数の無線子機と、前記無線親機と前記無線子機との間の通信区間内に配置される無線中継機と、前記サブに各有線接続されたマイコンメータとを備える無線テレメータシステムにおいて、
前記未縁組の無線子機に前記無線親機配下の前記中継機を含めたグループのグループ固有番号を予め設定し、前記未縁組の無線子機からの前記グループ固有番号を含む電文に対する前記無線親機や前記中継機からの返信電文に基づいて、前記未縁組の無線子機と縁組可能な前記無線親機や前記中継機全てを収集することから成る無線テレメータシステム。
【請求項４】
前記未縁組の無線子機は、前記グループ固有番号を設定するため、ＤＩＰＳＷ等の入力装置を備えていることから成る請求項３記載の無線テレメータシステム。
【請求項５】
前記未縁組の無線子機又は前記外部設定器は、収集の結果見つかった前記無線親機や前記中継機の識別符号を表示する表示装置を備えていることから成る請求項１〜４のいずれか１項記載の無線テレメータシステム。
【請求項６】
収集の結果見つかった前記無線親機や中継機の中で通信電波強度がある一定以上のもののみが収集結果として表示又は出力されることから成る請求項５記載の無線テレメータシステム。
【請求項７】
収集の結果見つかった前記無線親機の通信電波強度が前記一定以上の通信電波強度であったことに応じて、前記無線親機のみが表示又は出力されることから成る請求項６記載の無線テレメータシステム。
【請求項８】
前記未縁組の無線子機又は前記外部設定器は、収集結果見つかった縁組可能な前記無線親機又は前記中継機の中から縁組の対象を選択するための操作用のボタンを備えていることから成る請求項５〜７のいずれか１項記載の無線テレメータシステム。
【請求項９】
前記未縁組の無線子機は、収集の結果見つかった縁組可能な前記無線親機や前記中継機の中から選択された縁組の対象が、前記未縁組の無線子機から送信される当該対象の識別符号を含む電文を受信することに応じて、当該対象と縁組動作が行われることから成る請求項１〜８のいずれか１項記載の無線テレメータシステム。
【請求項１０】
センタＮＣＵに電話網を介して直列に接続された端末ＮＣＵ及び無線親機と、前記無線親機と無線通信を行う複数の無線子機と、前記無線親機と前記無線子機との間の通信区間内に配置される無線中継機と、前記サブに各有線接続されたマイコンメータとを備える無線テレメータシステムにおいて、
前記無線親機や前記中継機と未縁組の無線子機にシステム最上流の前記無線親機の識別符号を予め登録し、前記未縁組の無線子機から前記無線親機や前記中継機に前記識別符号を含む電文を送信し、当該電文を受信した前記無線親機や前記中継機から前記未縁組の無線子機に返信電文を送信し、当該返信電文に基づいて前記未縁組の無線子機と縁組可能な前記無線親機や前記中継機全てを収集し、収集の結果見つかった前記無線親機や前記中継機の中から縁組の対象を選択することから成る無線テレメータシステムにおける縁組端末選択方法。
【請求項１１】
センタＮＣＵに電話網を介して直列に接続された端末ＮＣＵ及び無線親機と、前記無線親機と無線通信を行う複数の無線子機と、前記無線親機と前記無線子機との間の通信区間内に配置される無線中継機と、前記サブに各有線接続されたマイコンメータとを備える無線テレメータシステムにおいて、
前記未縁組の無線子機に前記無線親機配下の前記中継機を含めたグループのグループ固有番号を予め設定し、前記未縁組の無線子機から前記無線親機や前記中継機に前記グループ固有番号を含む電文を送信し、当該電文を受信した前記無線親機や前記中継機から前記未縁組の無線子機に返信電文を送信し、当該返信電文に基づいて前記未縁組の無線子機と縁組可能な前記無線親機や前記中継機全てを収集し、収集の結果見つかった前記無線親機や前記中継機の中から縁組の対象を選択することから成る無線テレメータシステムにおける縁組端末選択方法。
【発明の詳細な説明】
【技術分野】
【０００１】
この発明は、センタＮＣＵに電話網を介して直列に接続された端末ＮＣＵ及び無線親機と、前記無線親機と無線通信を行う複数の無線子機と、前記無線親機と前記無線子機との間の通信区間内に配置される無線中継機と、前記サブに各有線接続されたマイコンメータとを備える無線テレメータシステム、及びそのシステムにおける無線親機と無線子機との間で取り交わされる縁組における縁組端末選択方法に関する。
【背景技術】
【０００２】
ガス、水道等のメータ用に開発された無線テレメータシステムにおいては、１台の無線親機（以下、メインと記す）に対して複数台の中継機が縁組され、また中継機それぞれ配下に複数台の無線子機（以下、サブと記す）が縁組されている。この１台のメインの配下にある中継機、サブを含めて１つの通信グループとされている。
【０００３】
ガスや水道等のメータ用に開発された従来の無線テレメータシステムは、標準規格ＲＣＲ・ＳＴＤ−Ｔ６７に準ずる無線テレメータシステムである。そうした無線テレメータシステムの一例は、図１に示されたブロック図にも形式上内在しており、これを参照すると、ホストコンピュータ１０１に接続されたセンタ側網制御装置（以下、「センタＮＣＵ」と記す）１０２と、センタ１０２に公衆電話回線等の電話網を介して接続された端末網制御装置（以下、「Ｔ−ＮＣＵ」と記す）１０３と、Ｔ−ＮＣＵ１０３に有線接続されたメイン１０４と、メイン１０４に無線接続されておりメイン１０４と無線通信が可能な１台以上のサブ１０６と、サブ１０６に有線接続された電気、ガス、水道等のマイコンメータ（以下メータと記す）１０７とから構成されている。無線テレメータシステムにおいては、メイン１０４とサブ１０６との間には、それぞれとの間の通信区間内に配置される無線中継機１０５を備えることがある。
【０００４】
こうした無線テレメータシステムにおいては、一度グループ化されたシステムに、未縁組のサブを後から追加で縁組したいとき、事前に縁組対象候補となるメインや中継機を特定する必要があった。しかも、それらの端末を１台毎に電波測定で確認する等して無線環境の良い端末を探し、そうして探し出された端末との間で縁組作業が行われている。
【０００５】
予め縁組対象候補となるメインや中継機を特定していても、実際、現地でその特定されたメイン又は中継機と縁組を行おうとすると、電波環境が悪いことが原因で縁組できなくなることもあり、縁組対象となるメイン又は中継機を再び探さなければならず、縁組作業がスムーズに行えないということがあった。
【０００６】
受信状態の良い環境での使用を図る無線テレメータ装置として、端末側網制御装置、通信回線、及びセンタ側網制御装置を介してホストコンピュータに接続された無線親機と、無線親機に無線接続され、且つ、各々にマイコンメータを接続した１以上の無線子機とから構成され、無線親機及び無線子機は各々、相手機とデータ通信する無線部と、無線部から出力される受信レベルを読み取る制御部と、読み取った受信レベルを受信レベル測定値として記憶する記憶部とを備えており、無線親機と無線子機を受信レベルの高い位置に効率的に配置し、安定した運用を可能としたものが提案されている（特許文献１）。
【特許文献１】特開２００３−１５１０６２号公報
【発明の開示】
【発明が解決しようとする課題】
【０００７】
そこで、無線テレメータシステム及びそれにおける縁組端末選択方法において、無線子機が縁組可能でない端末を縁組対象から除去して、縁組可能である中継機や無線親機を予め限定する情報を得る点で解決すべき課題がある。
【０００８】
この発明の目的は、縁組作業者が、無線子機が縁組可能である中継機や無線親機を予め限定することにより、縁組が可能でない端末との縁組作業を行ってしまうことを未然に回避して、スムーズな縁組作業を行うことを可能にする無線テレメータシステム及びそれにおける縁組端末選択方法を提供することである。
【課題を解決するための手段】
【０００９】
上記の課題を解決するため、本発明による無線テレメータシステムにおいては、前記無線親機や前記中継機と未縁組の無線子機にシステム最上流の前記無線親機の識別符号を予め登録し、前記未縁組の無線子機からの前記識別符号を含む電文に対する前記無線親機や前記中継機からの返信電文に基づいて、前記未縁組の無線子機と縁組可能な前記無線親機や前記中継機全てを収集することから成っている。
無線親機や中継機と未縁組の無線子機に、グループ最上流の無線親機の識別符号を外部設定器等によって予め登録し、無線子機に備えられたボタン等の入力装置を操作することで、無線子機から縁組可能な無線親機や中継機を収集することが可能となる。
この場合、前記未縁組の無線子機への前記無線親機の識別符号を予め登録する外部設定器を備えることができる。
【００１０】
上記の課題を解決するため、本発明による無線テレメータシステムにおいては、前記未縁組の無線子機に前記無線親機配下の前記中継機を含めたグループのグループ固有番号を予め設定し、前記未縁組の無線子機からの前記グループ固有番号を含む電文に対する前記無線親機や前記中継機からの返信電文に基づいて、前記未縁組の無線子機と縁組可能な前記無線親機や前記中継機全てを収集することから成っている。
外部設定器でグループ最上流の無線親機の識別符号を登録する代わりに、無線子機にグループ固有の番号を設定することにより、無線子機から縁組可能な無線親機や中継機を収集することが可能となる。
この場合、前記未縁組の無線子機は、前記グループ固有番号を設定するため、ＤＩＰＳＷ等の入力装置を備えることができる。
【００１１】
上記の各無線テレメータシステムにおいて、前記未縁組の無線子機又は前記外部設定器は、収集の結果見つかった前記無線親機や前記中継機の識別符号を表示する表示装置を備えていることができる。表示装置の表示内容によって、収集結果を無線子機や外部設定器で確認することができる。
また、前記表示装置を備える無線テレメータシステムにおいて、収集の結果見つかった前記無線親機や中継機の中で通信電波強度がある一定以上のもののみを収集結果として表示又は出力することが好ましい。
更に、収集の結果見つかった前記無線親機の通信電波強度が前記一定以上の通信電波強度であったことに応じて、前記無線親機のみを表示又は出力することもできる。
このように、ある一定以上の通信電波強度であった中継機と無線親機、又は無線親機のみを結果表示することで、無線環境の良くない端末を縁組の対象から予め外すことができる。
更に、前記未縁組の無線子機又は前記外部設定器は、収集結果見つかった縁組可能な前記無線親機又は前記中継機の中から縁組の対象を選択するための操作用のボタンを備えることができる。この場合、結果表示された中継機と無線親機の識別符号の中から無線子機のボタンや外部設定器で縁組を行いたい端末を選択することができる。
【００１２】
上記の各無線テレメータシステムにおいて、前記未縁組の無線子機は、収集の結果見つかった縁組可能な前記無線親機や前記中継機の中から選択された縁組の対象が、前記未縁組の無線子機から送信される当該対象の識別符号を含む電文を受信することに応じて、当該対象と縁組動作を行うことができる。
【００１３】
上記の課題を解決するため、本発明による無線テレメータシステムにおける縁組端末選択方法は、前記無線親機や前記中継機と未縁組の無線子機にシステム最上流の前記無線親機の識別符号を予め登録し、前記未縁組の無線子機から前記無線親機や前記中継機に前記識別符号を含む電文を送信し、当該電文を受信した前記無線親機や前記中継機から前記未縁組の無線子機に返信電文を送信し、当該返信電文に基づいて前記未縁組の無線子機と縁組可能な前記無線親機や前記中継機全てを収集し、収集の結果見つかった前記無線親機や前記中継機の中から縁組の対象を選択することから成っている。
【００１４】
また、本発明による無線テレメータシステムにおける縁組端末選択方法は、前記未縁組の無線子機に前記無線親機配下の前記中継機を含めたグループのグループ固有番号を予め設定し、前記未縁組の無線子機から前記無線親機や前記中継機に前記グループ固有番号を含む電文を送信し、当該電文を受信した前記無線親機や前記中継機から前記未縁組の無線子機に返信電文を送信し、当該返信電文に基づいて前記未縁組の無線子機と縁組可能な前記無線親機や前記中継機全てを収集し、収集の結果見つかった前記無線親機や前記中継機の中から縁組の対象を選択することから成っている。
【発明の効果】
【００１５】
この発明による無線テレメータシステム及びそれにおける縁組端末選択方法によれば、縁組作業者は、未縁組の無線子機と縁組を行うことが可能な上流端末（中継機、無線親機）が収集され、その収集結果の中から縁組相手となり得る端末を選択することができる。また、選択された端末の中から縁組の相手となる端末を自由に選んで縁組を行うことが可能となる。
【００１６】
また、表示装置を備える無線テレメータシステムにおいては、収集の結果見つかった無線親機や中継機の中で通信電波強度がある一定以上のもののみを表示又は出力することができ、更に、収集の結果見つかった無線親機の通信電波強度が一定以上の通信電波強度であった場合にはその無線親機のみを表示又は出力することもできる。そのため、ある一定以上の通信電波強度であった中継機と無線親機又は無線親機のみを結果表示することで、無線環境の良くない端末を縁組の対象から予め外すことができ、無線環境の良い上流端末との縁組作業をスムーズに行うことができる。更に、未縁組の無線子機又は外部設定器は操作用のボタンを備えることができ、この場合には、収集の結果見つかった縁組可能な無線親機又は中継機の中から、無線子機のボタンや外部設定器で縁組を行いたい端末を選択することができる。
【発明を実施するための最良の形態】
【００１７】
以下、図面を参照して、この発明による無線テレメータシステムの一実施形態について説明する。
【実施例１】
【００１８】
図１に示すように無線テレメータシステムは、ホストコンピュータ１０１（以下ホストと称す）に接続されたセンタ１０２と、電話回線１０９を介してセンタ１０２と接続されたＴ−ＮＣＵ１０３と、Ｔ−ＮＣＵ１０３に接続されたメイン１０４と、メイン１０４と無線でデータ通信を行う複数の中継機１０５と、各中継機１０５と無線でデータ通信を行う複数のサブ１０６と、各サブ１０６と有線接続されるガス等のメータ１０７とで構成されている。また、中継機１０５を介さずに、サブ１０６が直接メイン１０４との間で無線データ通信を行う構成もある。
【００１９】
通常、メイン１０４は複数の中継機１０５を配下に持つことができ（図１ではメイン０４は、配下に中継機１〜３を持っている）、中継機は配下に複数のサブを持つことができる（図１では、中継機１〜３は、それぞれ配下にサブ１−１〜１−３、２−１〜２−３、３−１〜３−３を持っている）。つまり、メイン１０４は各中継機１０５を介して、それぞれの中継機１０５の配下に置かれた複数のサブ１０６と通信を行うことができる。
【００２０】
この通信ルートを決めるのが縁組であり、縁組とはメイン１０４、サブ１０６、中継機１０５がお互いに通信に必要な情報を交換し、それぞれの端末間で通信が可能となるようにするための取決めである。ここで通信に必要な情報とは、それぞれの識別符号といった、端末ごとに一意に定められた符号等を指す。よって、既にメイン１０４と縁組済みである中継機１０５（１，２，３）はメイン１０４の識別符号を記憶している。なお、サブ１０６から見た中継機１０５、メイン１０４を上流端末と言い、メイン１０４から見た中継機１０５、サブ１０６を下流端末と呼ぶこととする。
【００２１】
図２Ａはメイン１０４のブロック図であり、図２Ｂはサブ１０６と中継機１０５のブロック図である。メイン１０４及びサブ１０６と中継機１０５には、識別符号等の登録用に不揮発性メモリ２０２が内蔵されている。また、これらには、縁組結果や識別符号表示用に表示部２０９、入力装置としてＤＩＰＳＷ２１１やボタン２１２等を備えている。なお、ＣＰＵ２０３は、時計やタイマ機能を有したものである。
【００２２】
今、このメイン１０４を中心としたグループに、新たに未縁組のサブ１０８（サブ４；図１参照）を加えたいとする。理論では直線距離上最も近い中継機１０５（中継機２；図１参照）と縁組するべきであるが、周囲環境により距離が近くても無線通信ができない可能性もあるため、結局は現地での無線環境の測定調査の必要がある。そのときに、サブ４と通信可能な上流端末を選択するために、まず、サブ４に接続可能な外部設定器等によって、グループの最上流端末であるメイン１０４の識別符号をサブ４に登録する。他の手段としては、グループに一意に定めた、ある数桁の符号（以下グループＩＤとする）を用意し、それを端末又は外部設定器に備えられたＤＩＰＳＷ等でサブ４に設定するという手段を用いても良い（この場合は、メイン１０４、中継機１０５とも同じグループＩＤに設定されている必要がある）。
【００２３】
サブ４に備えられたボタン２１２（図２Ｂ）等の入力装置を押すことで、登録されたメイン１０４の識別符号やグループＩＤを含む同報電文の送信を開始する。サブ４からの同報電文を受け取ったメイン１０４や中継機１０５は、その電文の中身を解析し、メイン１０４は自身の識別符号又はグループＩＤが一致すれば、また、中継機１０５は自身と縁組されているメイン１０４の識別符号又はグループＩＤが一致した場合、返信電文の中に自身の識別符号を埋めたデータを、同報通信を行ったサブ４へ送信する。
【００２４】
メイン１０４や中継機１〜３がサブ４からのこの同報電文を受信した場合、サブ４へ返信する。それ以外のメインや中継機やサブが受信しても返信しない。このとき、同報電文を受信したメイン１０４や中継機１〜３がなるべく同時にサブ４へ返信を行わないようにするため、それぞれの端末の識別符号の下一桁によって返信する時間をずらす等の手法を用いる。
【００２５】
メイン１０４や中継機１〜３から、それら自身の識別符号を含む電文を受信したサブ４は、受信電文を解析し、自身に備えられている表示端末に上流端末識別符号を表示する、又は、接続される設定器に受信した全ての識別符号を含む電文を送信する等して、作業者が縁組可能な上流端末を認識可能にする。
【００２６】
また、予めサブ４に電波強度の閾値を設定しておき、同報電文の送信後のメイン１０４、中継機１〜３からの返信時に受信と同時に電波強度の測定を行い、設定された閾値以上の電波強度を示した端末の識別符号のみを結果として表示又は外部設定器に送信しても良い。こうした手法を採用することで、電波環境が優良な上流端末のみが表示され、作業者はその表示された電波環境の良い端末の中から縁組の対象となる端末を選別することができる。
【００２７】
また、センタ１０２から中継機経由でサブ４と通信を行うのと、中継機を経由しないでメイン１０４から直接サブ４と通信を行うのとでは通信時間が異なる。よってメイン１０４からの返信電文受信時にある一定以上の電波強度があれば、たとえ一定以上の電波強度を示す中継機が存在していても、そうした中継機を無視してメイン１０４のみの識別符号を表示する、又は、外部設定器に結果として送信するという手法も採用可能である。
【００２８】
結果提示後、サブ４に備えられたボタン２１２等の入力装置を操作することにより、サブ４の表示装置に表示されている受信に成功したメイン１０４及び中継機１〜３の識別符号の表示を切り替えて、作業者が縁組を行いたいメイン、中継機を選択し、同じくボタン２１２等の入力装置を操作することにより、選択された識別符号を含む電文を送信し、目的の上流端末と縁組が開始される。こうすることで、縁組端末選択と縁組が一連の作業で可能となる。
【００２９】
また、収集結果を外部設定器で表示させた場合は、外部設定器で縁組を行いたいメイン、中継機を選択できるようにし、そしてその中継機の識別符号を含む電文を縁組電文として外部設定器からサブへ送信することによって縁組を行うことができる。
【００３０】
図３Ａ〜図３Ｂに縁組の一連の流れを示す。図３Ａでは、外部設定器を用い、サブ４にメイン１０４の識別符号を登録した場合を示している。そしてサブ４には、例として予め閾値として電波強度０×４０が設定されているとし、メイン１０４の識別符号を含む同報電文の送信に対する上流端末からの返信時（端末の識別符号下一桁等により各上流端末からの返信タイミングがずらされている）に、その返信電波の電波強度測定を行う。サブ４は、閾値以上の電波強度があった端末（図３Ａ、３Ｂの場合はメイン１０４と中継機１）の識別符号を外部設定器に送信し、外部設定器上にその結果（端末とその識別符号）を表示させる。そしてサブ４は、外部設定器から、メイン１０４と中継機１のうち選択された方（図３Ａの場合はメイン１０４、図３Ｂの場合は中継機１）の識別符号を含む縁組要求電文を受け取ることによって、上流端末との縁組を開始する。サブ４から、図３Ａの場合にはメイン１０４へ、図３Ｂの場合には中継機１へ縁組電文が送信され、縁組電文を受信したメイン１０４又は中継機１がサブ４へ縁組返信電文を送信するとともに縁組結果を自ら表示し、縁組返信電文を受信したサブ４は自ら縁組結果を表示する（更に、外部設定器に縁組結果を表示してもよい）。中継機が選択された場合は、サブ４と中継機の縁組動作終了後、更に、当該中継機とメイン１０４の縁組動作に移り（図３Ｂ）、縁組電文の遣り取りと縁組結果の表示が行われる。
【００３１】
図４に別の縁組の形態について、一連の流れを示す。図４に示す例では、サブ４上のＤＩＰＳＷを用い、メイン１０４や中継機１〜３に予め設定されているグループＩＤと同じ設定をした場合を示している。そして図３Ａ，３Ｂに示す例と同様、サブ４には例として予め閾値として電波強度０×４０が設定されているとし、グループＩＤを含む同報電文の送信に対する上流端末からの返信時に電波強度測定を行う。サブ４は、閾値以上の電波強度があった端末（図４の場合はメイン１０４と中継機１）の識別符号を自身の表示装置に表示する。そしてサブ４は、メイン１０４と中継機１の中の、選択された方（図４の場合はメイン１０４）の識別符号を含む縁組要求電文を、選択決定を示すボタンを押すことによって、メイン１０４に送信を開始する。縁組要求電文やその返信電文についての説明は図３Ａ，３Ｂの場合と同様である。この選択決定において、メイン１０４に代えて中継機が選択された場合は、サブと中継機の縁組動作終了後、中継機とメインの縁組動作を行う。なお、図３Ａ及び図３Ｂに示す例のように外部設定器で、グループＩＤを設定してもよい。
【産業上の利用可能性】
【００３２】
本発明による無線テレメータシステム及びそれにおける縁組端末選択方法は、家庭内のセンサや家電機器等の通信に加えて、屋外でのテレメータ・テレコントロール等の無線データ通信等の用途にも適用可能である。
【図面の簡単な説明】
【００３３】
【図１】本発明の実施形態にかかる無線テレメータシステムのシステム図である。
【図２Ａ】本発明の実施形態にかかる無線親機のブロック図である。
【図２Ｂ】本発明の実施形態にかかる中継機と無線子機ブロック図である。
【図３Ａ】本発明の実施形態にかかる無線親機と中継機と無線子機の縁組可能端末選択作業の一例を示すシーケンス図である。
【図３Ｂ】本発明の実施形態にかかる無線親機と中継機と無線子機の縁組可能端末選択作業の別の例を示すシーケンス図である。
【図４】本発明の実施形態にかかる無線親機と中継機と無線子機の縁組可能端末選択作業の更に別の例を示すシーケンス図である。
【符号の説明】
【００３４】
１０１  ホストコンピュータ                １０２  センタＮＣＵ
１０３  Ｔ−ＮＣＵ                        １０４  無線親機（メイン）
１０５  中継機                            １０６  縁組済み無線子機（サブ）
１０７  メータ                            １０８  未縁組無線子機（サブ）
１０９  電話回線
２０１  Ｔ−ＮＣＵと接続のための・／Ｆ    ２０２  データ登録用不揮発性メモリ
２０３  ＣＰＵ                            ２０４  無線通信ユニット
２０５  アンテナ                          ２０６  ＲＯＭ
２０７  ＲＡＭ                            ２０８  電池
２０９  通信結果等を表示するための、表示部
２１０  メータ等の接続のための・／Ｆ
２１１  ＤＩＰＳＷ等の入力装置            ２１２  ボタン等の入力装置
【図１】
2009098746.tif 000003
【図２Ａ】
2009098746.tif 000004
【図２Ｂ】
2009098746.tif 000005
【図３Ａ】
2009098746.tif 000006
【図３Ｂ】
2009098746.tif 000007
【図４】
2009098746.tif 000008